(57)【要約】      （修正有）【課題】電力システムと使用するためのコンピュータデバイスを提供する。【解決手段】コンピュータデバイス１１２は、電力システム内の少なくとも１つの故障を表すデータを編成し、編成されたデータのグラフ表示を生成するようにプログラムされた、プロセッサ２１４を含む。コンピュータデバイスはまた、ユーザがその故障を識別できるようにするために、ユーザにグラフ表示を提示するためのプロセッサに結合された提示インターフェース２０８を含む。さらに、ユーザインターフェース２０４は、提示インターフェースに結合され、ユーザがその故障の少なくとも１つの変数を識別可能になるように、そのグラフ表示上の少なくとも１つのデータ点をユーザが選択できるように構成されている。【選択図】図２
2013033477.tif 000002
【特許請求の範囲】
【請求項１】
電力システム（１００）と使用するためのコンピュータデバイス（１１２）であって、
電力システム内の少なくとも１つの故障を表すデータを編成し、
編成されたデータのグラフ表示を生成する
ようにプログラムされたプロセッサ（２１４）と、
少なくとも１つの故障をユーザが識別できるようにするために、前記ユーザに前記グラフ表示を提示するための前記プロセッサに結合された提示インターフェース（２０８）と、
前記提示インターフェースに結合され、前記ユーザが前記少なくとも１つの故障の少なくとも１つの変数を識別可能になるように、前記ユーザが前記グラフ表示上の少なくとも１つのデータ点を選択できるように構成された、ユーザインターフェース（２０４）と
を備える、コンピュータデバイス。
【請求項２】
前記プロセッサ（２１４）がさらに、前記グラフ表示上の前記少なくとも１つのデータ点が選択された後に、前記少なくとも１つの変数を計算するようにプログラムされた、請求項１記載のコンピュータデバイス（１１２）。
【請求項３】
前記プロセッサ（２１４）が、周波数測定値および振動測定値のうちの少なくとも１つを計算することによって、前記少なくとも１つの変数を計算する、請求項２記載のコンピュータデバイス（１１２）。
【請求項４】
実時間データおよび履歴データのうちの少なくとも１つを含むデータを受信するための前記プロセッサ（２１４）に結合された通信インターフェース（２３０）をさらに備える、請求項１記載のコンピュータデバイス（１１２）。
【請求項５】
前記提示インターフェース（２０８）がさらに、テキストによる表示およびグラフの表示のうちの少なくとも１つで前記少なくとも１つの変数を提示する、請求項１記載のコンピュータデバイス（１１２）。
【請求項６】
前記プロセッサ（２１４）が、データの階層を生成することによって、データを編成する、請求項１記載のコンピュータデバイス（１１２）。
【請求項７】
前記ユーザインターフェース（２０４）がさらに、前記グラフ表示上の前記少なくとも１つのデータ点を前記ユーザが選択できるようにそれぞれ構成されたポインティングデバイス（２０６）およびマウス（２０７）のうちの少なくとも１つを備える、請求項１記載のコンピュータデバイス（１１２）。
【請求項８】
少なくとも１つの構成要素（１０４）を備える、少なくとも１つの機械（１０２）と、
前記少なくとも１つの構成要素に近接して位置付けられ、前記少なくとも１つの構成要素内の少なくとも１つの故障を検出するように構成された、少なくとも１つのセンサ（１１０）と、
前記少なくとも１つのセンサ（１１０）に結合された、コンピュータデバイス（１１２）と
を備える、電力システム（１００）であって、前記コンピュータデバイスが、
少なくとも１つの故障を表すデータを編成し、データのグラフ表示を生成するようにプログラムされた、プロセッサ（２１４）と、
前記少なくとも１つの故障をユーザが識別できるようにするために、前記ユーザに前記グラフ表示を提示するための、前記プロセッサに結合された、提示インターフェース（２０８）と、
前記提示インターフェースに結合され、前記ユーザが前記少なくとも１つの故障の少なくとも１つの変数を識別可能になるように、前記ユーザが前記グラフ表示上の少なくとも１つのデータ点を選択できるように構成された、ユーザインターフェース（２０４）と
を備える、システム。
【請求項９】
前記プロセッサ（２１４）が、前記グラフ表示上の前記少なくとも１つのデータ点が選択された後に、前記少なくとも１つの変数を計算するようにプログラムされた、請求項８記載の電力システム（１００）。
【請求項１０】
前記プロセッサ（２１４）が、周波数測定値および振動測定値のうちの少なくとも１つを計算することによって、前記少なくとも１つの変数を計算する、請求項９記載の電力システム（１００）。
【発明の詳細な説明】
【技術分野】
【０００１】
本発明の分野は、概して電力システムに関し、より詳細には、ユーザが電力システム内の故障および／または故障に関連する変数を識別することができるようにユーザにデータを提示するための電力システムと使用するためのコンピュータデバイスに関する。
【背景技術】
【０００２】
少なくともいくつかの知られている電力システムは、タービンなどの機械を含む。タービンなどの機械は、ベアリング、ギア、および／またはシャフトなどの構成要素を含み得る。そのような構成要素は、時間とともに摩滅することがあり、その構成要素の亀裂および／または誤整列などの故障をもたらし得る。故障がある摩滅した構成要素を継続して動作させることは、他の構成要素にさらなる損傷をもたらすこと、ならびに／あるいは、構成要素および／または関連システムの早期故障につながることがある。
【０００３】
機械内の構成要素の損傷を検出するために、少なくともいくつかの知られている機械は、監視システムで継続的に監視される。少なくともいくつかの知られている監視システムは、そのシステムの少なくともいくつかの構成要素の近接測定を検出するために、センサを使用する。近接測定は、渦電流センサ、磁気ピックアップセンサ、マイクロ波センサ、および／または容量センサを使用して実行され得る。そのようなセンサによって検出されたデータは、表示デバイスおよび／または分析のためのコンピュータデバイスに送信され、その分析の出力は、ユーザが電力システム内の何らかの故障を識別できるようにするために使用される。そのようなデータは、その電力システム内に故障が存在するかどうかを判定するために、合計および／または照合される測定結果および／または様々な変数を含み得る。
【先行技術文献】
【特許文献】
【０００４】
【特許文献１】米国特許出願公開第２００９／０１４９９８１号明細書
【発明の概要】
【０００５】
しかし、知られている監視システムでは、通常、システムの最終診断のみがユーザに提示される。たとえば、ユーザは、故障がその機械内に存在するという通知のみ提示され得る。結果として、ユーザは、故障の診断を容易にする実際の測定結果および／または変数を見ることができない場合がある。たとえば、ユーザは、検出された実際の測定結果および／または変数をユーザが識別できるようにするグラフ形式でデータを提示され得ない。知られているコンピュータおよび／または表示デバイスはまた、さらに考慮するための様々な測定結果および／または変数をユーザが選択できるようにするインタラクティブプラットフォームをユーザに提供することができない。
【０００６】
一実施形態では、電力システムと使用するためのコンピュータデバイスが提供される。本コンピュータデバイスは、電力システム内の少なくとも１つの故障を表すデータを編成するように、および編成されたデータのグラフ表示を生成するようにプログラムされたプロセッサを含む。本コンピュータデバイスはまた、ユーザが故障を識別できるようにするために、ユーザにグラフ表示を提示するためのプロセッサに結合された提示インターフェースを含む。さらに、ユーザインターフェースは、提示インターフェースに結合され、ユーザがその故障の少なくとも１つの変数を識別可能になるように、そのグラフ表示上の少なくとも１つのデータ点をユーザが選択できるように構成されている。
【０００７】
もう１つの実施形態では、電力システムが提供される。本電力システムは、少なくとも１つの構成要素を含む少なくとも１つの機械と、その構成要素に近接して位置付けられた少なくとも１つのセンサとを含む。そのセンサは、その構成要素内の少なくとも１つの故障を検出するように構成されている。本電力システムはまた、そのセンサに結合されたコンピュータデバイスも含む。本コンピュータデバイスは、故障を表すデータを編成するように、およびそのデータのグラフ表示を生成するようにプログラムされたプロセッサを含む。さらに、本コンピュータデバイスは、ユーザが故障を識別できるようにするために、ユーザにグラフ表示を提示するためのプロセッサに結合された提示インターフェースを含む。ユーザインターフェースは、提示インターフェースに結合され、ユーザがその故障の少なくとも１つの変数を識別可能になるように、そのグラフ表示上の少なくとも１つのデータ点をユーザが選択できるように構成されている。
【０００８】
さらに別の実施形態では、電力システム内の故障を識別するためのデータを提示する方法が提供される。電力システム内の少なくとも１つの故障を表すデータが、プロセッサにより編成される。そのデータのグラフ表示が、プロセッサによって生成される。そのグラフ表示は、ユーザがその故障を識別できるようにするために、提示インターフェースを介してユーザに提示される。さらに、ユーザがその故障の少なくとも１つの変数を識別可能になるように、ユーザは、ユーザインターフェースを介して、そのグラフ表示上の少なくとも１つのデータ点を選択できるようにされる。
【図面の簡単な説明】
【０００９】
【図１】例示的な電力システムのブロック図である。
【図２】図１に示す電力システムと使用され得る例示的なコンピュータデバイスのブロック図である。
【図３】図２に示すコンピュータデバイスによって生成され得る例示的な出力のグラフである。
【図４】図２に示すコンピュータデバイスを使用して故障を識別するためのデータを提示する例示的な方法の流れ図である。
【発明を実施するための形態】
【００１０】
本明細書に記載の例示的なシステムおよび方法は、ユーザが電力システム内の故障を表すことが可能な実際の測定結果および／または変数を識別することができるように、ユーザに電力システム内で検出されたデータをグラフ形式で提示することによって、知られている監視システムの少なくともいくつかの知られている弱点を克服する。さらに具体的には、本明細書に記載の実施形態は、電力システムと使用するためのコンピュータデバイスを提供する。本コンピュータデバイスは、電力システム内の少なくとも１つの故障を表すデータを編成し、その編成されたデータのグラフ表示を生成するプロセッサを含む。本コンピュータデバイスはまた、その故障をユーザが識別できるようにするために、ユーザにグラフ表示を提示する提示インターフェースを含む。さらに、ユーザインターフェースは、その故障の少なくとも１つの変数を識別する際に使用するためのそのグラフ表示上の少なくとも１つのデータ点をユーザが可変的に選択できるようにするために、提示インターフェースに結合される。本明細書に記載のシステムを使用することによって、ユーザは、故障を識別し、故障を診断可能にする実際の測定結果および／または変数を見ることができる。ユーザはまた、その故障に固有の様々な測定結果および／または変数をユーザが選択できるようにするインタラクティブプラットフォームも提供される。
【００１１】
図１は、少なくとも１つの機械１０２を含む例示的な電力システム１００を示す。本例示的実施形態では、機械１０２は、風力タービン、水力発電タービン、ガスタービン、および／または、可変速度で動作する任意の他の機械などの可変速度機械である。別法として、機械１０２は、同期速度機械でもよい。機械１０２は、ギアおよび／またはドライブシャフトなどの少なくとも１つの機械構成要素１０４を含む。本例示的実施形態では、構成要素１０４は、ジェネレータなどの負荷１０８に結合される。本明細書では、「結合」という用語は、構成要素間の直接的な通信、機械的および／または電気的接続に限定されず、複数構成要素間の間接的な通信、機械的および／または電気的接続も含み得ることに留意されたい。
【００１２】
本例示的実施形態では、構成要素１０４は、少なくとも部分的に、機械１０２内におよび／または負荷１０８内に収容された１つまたは複数のベアリング（図示せず）によって支持される。別法としてまたは追加で、そのベアリングは、ギアボックスなどの別個の支持構造物（図示せず）、または、本明細書に記載するように電力システム１００が機能できるようにする任意の他の構造体内に収容され得る。
【００１３】
電力システム１００はまた、構成要素１０４にごく近接して置かれた少なくとも１つのセンサ１１０を含む。本例示的実施形態では、センサ１１０は、構成要素１０４とセンサ１１０の間の距離などの構成要素１０４に関連する様々なパラメータを測定する。センサ１１０はまた、構成要素１０４内の亀裂および／または構成要素１０４の誤整列を監視することができる。たとえば、センサ１１０は、１つまたは複数のマイクロ波信号を使用して、センサ１１０に関する構成要素１０４の近接性、周波数、雑音および／または振動を測定することができる。本明細書では、「マイクロ波」という用語は、信号、あるいは、約３００メガヘルツ（ＭＨｚ）から約３００ギガヘルツ（ＧＨｚ）の間の周波数を有する信号を受信および／または送信する構成要素を示す。別法として、センサ１１０は、システム１００内の故障を検出することができ、本明細書に記載するようにシステム１００が機能できるようにする、任意の他のセンサまたはトランスジューサでもよい。
【００１４】
コンピュータデバイス１１２は、データルート１１４を介してセンサ１１０に結合される。別法として、コンピュータデバイス１１２は、センサ１１０にワイヤレスで結合され得る。本例示的実施形態では、データルート１１４は、金属線から製造される。本例示的実施形態では、ルート１１４は、コンピュータデバイス１１２とセンサ１１０の間の接続を可能にする導電体である。別法として、他の接続が、勧告基準（ＲＳ）２３２またはＲＳ−４８５などの低レベルのシリアルデータ接続、ユニバーサルシリアルバス（ＵＳＢ）または電気電子技術者協会（ＩＥＥＥ（登録商標））１３９４などの高レベルのシリアルデータ接続、ＩＥＥＥ（登録商標）１２８４またはＩＥＥＥ（登録商標）４８８などの並列データ接続、ＢＬＵＥＴＯＯＴＨ（登録商標）などの短距離ワイヤレス通信チャネル、ならびに／あるいは、ワイヤードかワイヤレスかの（たとえば、外部の発電システム１００にアクセス不可能な）プライベートネットワーク接続を含み、コンピュータデバイス１１２とセンサ１１０の間で利用可能であり得る。ＩＥＥＥは、ニューヨーク州ニューヨーク市の電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）の登録商標である。ＢＬＵＥＴＯＯＴＨは、ワシントン州カークランドのＢｌｕｅｔｏｏｔｈ  ＳＩＧ，Ｉｎｃ．の登録商標である。
【００１５】
本例示的実施形態では、コンピュータデバイス１１２は、センサ１１０から受信されたデータを処理および／または分析し、システム１００のオペレータなどのユーザにそのデータを提示する。別法として、電力システム１００は、共に結合された、複数の別個のコンピュータデバイスを含むことができ、少なくとも１つのコンピュータデバイスがデータを処理および／または分析し、少なくとも１つの他のコンピュータデバイスがユーザにそのデータを提示する。本例示的実施形態では、コンピュータデバイス１１２はまた、ユーザに履歴および／または実時間データを提示する。
【００１６】
動作中、本例示的実施形態では、たとえば、摩滅、損傷、または振動のため、構成要素１０４などの電力システム１００の１つまたは複数の構成要素が、センサ１１０に対する相対位置を変え得る。たとえば、振動が構成要素１０４に生じることがあり、および／または電力システム１００内の動作温度が変化するにつれて、構成要素１０４が拡大または縮小することがある。本例示的実施形態では、センサ１１０が、構成要素１０４内の亀裂および／または構成要素１０４の誤整列などの少なくとも１つの故障を検出できるようにするために、センサ１１０に対する構成要素１０４の相対位置などの近接性、構成要素１０４の周波数、雑音および／または振動を測定および／または監視する。
【００１７】
センサ１１０が、構成要素１０４内の少なくとも１つの故障を表すデータを、処理および／または分析し、そのデータをユーザに提示するためのコンピュータデバイス１１２に送信する。本例示的実施形態では、コンピュータデバイス１１２は、そのようなデータのグラフおよび／またはテキストによる表示を提供する。たとえば、コンピュータデバイス１１２は、その故障の少なくとも１つの変数の識別を容易にする少なくとも１つのデータ点または値をユーザが選択できるようにするデータのグラフ表示を提供する。たとえば、データ点が選択されるとき、コンピュータデバイス１１２は、そのデータ点に対応する少なくとも１つの変数のテキストによる表示を提供し、その変数は故障を表す。別法として、コンピュータデバイス１１２は、ユーザが選択する特定のデータ点の異なるグラフ表示を提示することができる。本例示的実施形態では、そのデータ点に対応する変数は、近接測定値、周波数測定値、および／または振動測定値などの故障の測定値である。
【００１８】
コンピュータデバイス１１２は、故障の最終診断を表示し、その診断で使用された実際のデータおよび／または変数をユーザに提示する。したがって、ユーザは、故障の存在の診断をもたらした実際の測定結果および／または変数を見ることができる。さらに、コンピュータデバイス１１２はまたユーザにインタラクティブプラットフォームを提供するので、ユーザはその故障に特有の様々な測定結果および／または変数を選択することができる。
【００１９】
図２は、コンピュータデバイス１１２の例示的なブロック図である。本例示的実施形態では、コンピュータデバイス１１２は、ユーザから少なくとも１つの入力を受信するユーザインターフェース２０４を含む。本例示的実施形態では、ユーザインターフェース２０４は、関連情報をユーザが入力できるようにするキーボード２０５を含む。本例示的実施形態では、ユーザインターフェース２０４はまた、ポインティングデバイス２０６およびマウス２０７を含む。別法として、ユーザインターフェース２０４は、たとえば、スタイラス、タッチパネル（タッチパッドまたはタッチスクリーンなど）、ジャイロスコープ、加速度計、位置検出器、および／または音声入力インターフェース（たとえば、マイクロホンを含む）を含み得る。
【００２０】
本例示的実施形態では、コンピュータデバイス１１２は、ユーザに入力事象および／または検証結果などの情報を表示する／提示する、提示インターフェース２０８を含む。本例示的実施形態では、提示インターフェース２０８は、少なくとも１つの表示デバイス２１０に結合された表示アダプタ２０９を含む。さらに具体的には、本例示的実施形態では、表示デバイス２１０は、ブラウン管（ＣＲＴ）、液晶ディスプレイ（ＬＣＤ）、有機ＬＥＤ（ＯＬＥＤ）ディスプレイ、および／または「電子インク」ディスプレイなどの視覚表示デバイスである。別法として、提示インターフェース２０８は、音声出力デバイス（音声アダプタおよび／またはスピーカなど）および／またはプリンタを含み得る。
【００２１】
コンピュータデバイス１１２はまた、プロセッサ２１４およびメモリデバイス２１８を含む。本例示的実施形態では、プロセッサ２１４は、システムバス２２０を介して、ユーザインターフェース２０４、提示インターフェース２０８、および、メモリデバイス２１８に結合される。本例示的実施形態では、プロセッサ２１４は、たとえば、提示インターフェース２０８を介してユーザに促すことによって、および／またはユーザインターフェース２０４を介してユーザ入力を受信することによって、ユーザと通信する。本例示的実施形態では、プロセッサ２１４はまた、１つまたは複数の実行可能命令を使用し、動作を符号化すること、およびメモリデバイス２１８内でその実行可能命令を実行することによって、プログラムされ得る。たとえば、プロセッサ２１４は、プロセッサ２１４がセンサ１１０（図１に示す）から受信する電力システム１００（図１に示す）内の少なくとも１つの故障を表すデータを編成するようにプログラムされる。さらに具体的には、プロセッサ２１４は、そのデータの階層を生成するようにプログラムされ、その最も高いデータ点または値はその階層内の第１の層として編成され、最も低いデータ点または値はその階層内の最後の層として編成される。プロセッサ２１４はまた、そのデータのグラフ表示を生成するようにプログラムされる。本例示的実施形態では、プロセッサ２１４はまた、データに基づいて少なくとも１つの変数を計算するようにプログラムされる。たとえば、ユーザがグラフ表示上のデータ点または値を選択した後に、プロセッサ２１４は、その選択されたデータ点に関連する変数を計算する。
【００２２】
「プロセッサ」という用語は、概して、システムおよびマイクロコントローラを含む任意のプログラマブルシステムと、縮小命令セット回路（ＲＩＳＣ）と、特定用途向け集積回路（ＡＳＩＣ）と、プログラマブルロジック回路（ＰＬＣ）と、本明細書に記載の機能を実行する能力のある任意の他の回路またはプロセッサとを指す。上述の例は、単に例示的なものであり、「プロセッサ」という用語の定義および／または意味を何ら限定するものではない。
【００２３】
本例示的実施形態では、メモリデバイス２１８は、実行可能命令および／または他のデータなどの情報を記憶および検索できるようにする１つまたは複数のデバイスを含む。さらに、本例示的実施形態では、メモリデバイス２１８は、ダイナミックランダムアクセスメモリ（ＤＲＡＭ）、スタティックランダムアクセスメモリ（ＳＲＡＭ）、ソリッドステートディスク、および／またはハードディスクなどの、これらに限定されない、１つまたは複数のコンピュータ可読媒体を含む。本例示的実施形態では、メモリデバイス２１８は、アプリケーションソースコード、アプリケーションオブジェクトコード、構成データ、追加入力事象、アプリケーション状態、表明ステートメント、検証結果、および／または任意の他のタイプのデータを、これらに限定されず、記憶する。さらに具体的には、本例示的実施形態では、メモリデバイス２１８は、ユーザインターフェース２０４を介してユーザによって受信される入力データ、および／または、電力システム１００の他の構成要素から受信される情報を記憶する。
【００２４】
本例示的実施形態では、コンピュータデバイス１１２はまた、システムバス２２０を介してプロセッサ２１４に結合された通信インターフェース２３０を含む。さらに、本例示的実施形態では、通信インターフェース２３０は、データルート１１４（図１に示す）を介してセンサ１１０に結合され、センサ１１０からデータを受信するように構成されている。
【００２５】
動作中、本例示的実施形態では、たとえば、摩滅、損傷、または振動のため、構成要素１０４（図１に示す）などの電力システム１００の１つまたは複数の構成要素が、センサ１１０に対する位置を変更することがある。たとえば、振動が構成要素１０４に生じることがあり、および／または電力システム１００内の動作温度が変化するにつれて、構成要素１０４が拡大または縮小することがある。本例示的実施形態では、センサ１１０は、構成要素１０４内の亀裂および／または構成要素１０４の誤整列などの少なくとも１つの故障を検出可能にするために、センサ１１０に対する構成要素１０４の相対位置などの近接性、周波数、雑音および／または振動を測定および／または監視する。
【００２６】
センサ１１０は、構成要素１０４内の少なくとも１つの故障を表すデータを、処理および／または分析し、ユーザに提示するためのコンピュータデバイス１１２に送信する。さらに具体的には、本例示的実施形態では、通信インターフェース２３０が、そのデータを受信し、そのデータをプロセッサ２１４に送信する。プロセッサ２１４はデータの階層を生成することによって、それらのデータを編成し、最も高いデータ点または値がその階層内の第１の層として編成され、最も低いデータ点または値がその階層の最後の層として編成される。さらに、プロセッサ２１４は、そのデータのグラフ表示を生成する。そのグラフ表示は、提示インターフェース２０８内の表示デバイス２１０を介してユーザに提示される。
【００２７】
ユーザは、そのグラフ表示の表示を見ているときに、検出される故障の少なくとも１つの変数を識別するために、そのグラフ表示の一部を選択することができる。たとえば、ユーザは、ユーザインターフェース２０４を介してグラフ表示上の少なくとも１つのデータ点または値をクリックすることができる。さらに具体的には、ユーザは、ポインティングデバイス２０６またはマウス２０７を使用して、データ点または値を選択することができる。データ点または値が選択された後に、プロセッサ２１４が、選択されたデータ点または値を表す少なくとも１つの変数を計算する。その変数のテキストによるおよび／またはグラフの表示が、提示インターフェース２０８を介してユーザに提示される。本例示的実施形態では、その変数は、故障の周波数測定値および／または振動測定値である。
【００２８】
図３は、コンピュータデバイス１１２（図１および２に示す）によって生成され得る例示的な出力３００のグラフである。さらに具体的には、本例示的実施形態では、出力３００は、ＧＨｚ（図３の横座標に示す）での特定の周波数３２０におけるマイクロ波信号内に含まれる振動測定３１０（図３の縦座標に示す）のグラフによる比較である。本例示的実施形態では、センサ１１０（図１に示す）は、約１ＧＨｚと約２０ＧＨｚの間の周波数範囲を有する所定の周波数帯域３３０内の複数の周波数構成要素をそれぞれ含むマイクロ波信号を生成する。本例示的実施形態では、そのような周波数帯域３３０は、第１の周波数帯域３３２、第２の周波数帯域３３４、第３の周波数帯域３３６、および第４の周波数帯域３３８を含む。さらに具体的には、本例示的実施形態では、第２の周波数帯域３３４は、２のべき乗によって第１の周波数帯域３３２に比例する。たとえば、第１の周波数帯域３３２は約１ＧＨｚおよび約２ＧＨｚの間の周波数を含み、第２の周波数帯域３３４は約２ＧＨｚから約４ＧＨｚの間の周波数を含む。さらに、第３の周波数帯域３３６は、約４ＧＨｚから約８ＧＨｚの間の周波数を含む。さらにまた、第４の周波数帯域３３８は、約８ＧＨｚおよび約１６ＧＨｚの間の周波数を含む。別法として、ユーザは、ユーザのニーズに適したおよび／または適合する、対数および／または均等目盛り表示などの出力３００の任意の他のタイプのグラフ表示を生成することができる。
【００２９】
本例示的実施形態では、出力３００は、期待振動レベル応答曲線３５０を実際の振動レベル応答曲線３６０に比較する。期待振動レベル応答曲線３５０は、損傷を受けていない構成要素１０４（図１に示す）のセンサ１１０（図２に示す）から受信された各周波数の期待振動レベルに基づく。実際の振動レベル応答曲線３６０は、センサ１１０から受信された各周波数の実際の振動レベルに基づく。各実際の振動レベルと各期待振動レベルの間の差異が約０である場合には、構成要素１０４（図１に示す）は、亀裂および／または構成要素１０４の誤整列を含む何らかの故障を含まないと判断される。別法として、各実際の振動レベルと各期待振動レベルの間の差異が０よりも大きい場合には、構成要素１０４は少なくとも１つの故障を含むと判断される。
【００３０】
本例示的実施形態では、ユーザは、その故障の少なくとも１つの変数を識別する際に使用するために出力３００の一部を選択することができる。たとえば、ユーザは、ユーザインターフェース２０４（図２に示す）を介して出力３００上の少なくとも１つのデータ点または任意の値をクリックすることができる。さらに具体的には、ユーザは、ポインティングデバイス２０６（図２に示す）またはマウス２０７（図２に示す）を使用して、１つまたは複数のデータ点あるいは１つまたは複数の値を選択することができる。プロセッサ２１４（図２に示す）は次いで、選択されたデータ点または値を表す少なくとも１つの変数を計算する。その変数のテキストによるおよび／またはグラフの表示が、提示インターフェース２０８を介してユーザに提示される。たとえば、その変数のテキストによるおよび／またはグラフの表示は、ユーザが出力３００と選択された変数とを同時に見ることができ得るように、出力３００の下でユーザに提示され得る。
【００３１】
図４は、コンピュータデバイス１１２（図１および２に示す）などのコンピュータデバイスを使用して故障を識別するためのデータを提示するために使用され得る方法４００の流れ図である。電力システム１００（図１に示す）の構成要素１０４（図１に示す）内の少なくとも１つの故障を表すデータが、通信インターフェース２３０（図１に示す）を介して受信される４０２。そのデータは、プロセッサ２１４（図２に示す）を介して編成される４０４。そのデータのグラフ表示が、プロセッサ２１４により生成されて４０６、その故障を識別可能にする。そのデータのグラフ表示が、提示インターフェース２０８（図２に示す）を介してユーザに提示される４０８。
【００３２】
ユーザは、ユーザインターフェース２０４（図２に示す）を介して、その故障の少なくとも１つの変数を識別するためのグラフ表示上の少なくとも１つのデータ点を選択できるようにされる４１０。さらに具体的には、本例示的実施形態では、プロセッサが、グラフ表示上のデータ点が選択された後に、変数を計算する４１２。その変数は、提示インターフェース２０８を介してテキストによる表示および／またはグラフ表示でユーザに提示される４１４。
【００３３】
電力システムのデータを提示するために使用される既知のシステムおよび方法と比較して、本明細書に記載の例示的なシステムおよび方法は、ユーザが電力システム内の故障を表し得る実際の測定結果および／または変数を識別することができるように、電力システム内で検出されたデータをユーザにグラフ形式で提示する。さらに具体的には、本明細書に記載の実施形態は、電力システムと使用するためのコンピュータデバイスを提供する。本コンピュータデバイスは、電力システム内の少なくとも１つの故障を表すデータを編成し、その編成されたデータのグラフ表示を生成するプロセッサを含む。本コンピュータデバイスはまた、ユーザにグラフ表示を提示してそのユーザがその故障を識別できるようにする提示インターフェースを含む。さらに、ユーザインターフェースは、その故障の少なくとも１つの変数を識別するのに使用するためのグラフ表示上の少なくとも１つのデータ点をユーザが可変的に選択できるようにするために、提示インターフェースに結合される。本明細書に記載のシステムを使用することによって、ユーザは、故障を識別し、故障の診断を可能にする実際の測定結果および／または変数を見ることができる。ユーザにはまた、その故障に固有の様々な測定結果および／または変数をユーザが選択できるようにするインタラクティブプラットフォームが提供される。
【００３４】
本明細書に記載のシステムおよび方法の技術的効果は、（ａ）電力システム内の少なくとも１つの故障を表すデータをプロセッサにより編成するステップと、（ｂ）データのグラフ表示をプロセッサにより生成するステップと、（ｃ）提示インターフェースを介してユーザにグラフ表示を提示してユーザが少なくとも１つの故障を識別できるようにするステップと、（ｄ）ユーザが少なくとも１つの故障の少なくとも１つの変数を識別可能になるように、ユーザインターフェースを介して、グラフ表示上の少なくとも１つのデータ点をユーザが選択できるようにするステップとのうちの少なくとも１つを含む。
【００３５】
システムおよび方法の例示的実施形態を詳細に前述している。本システムおよび方法は、本明細書に記載の特定の実施形態に限定されず、そうではなくて、本システムの構成要素および／または本方法のステップは、本明細書に記載の他の構成要素および／またはステップから独立して、別個に使用され得る。たとえば、本システムはまた、他のシステムおよび方法との組合せでも使用可能であり、本明細書に記載するようなシステムのみでの実行に限定されない。そうではなくて、例示的な実施形態は、多数の他のアプリケーションに関連して実装および使用可能である。
【００３６】
本発明の様々な実施形態の特定の特徴がいくつかの図面には示され、他では示されていないことがあるが、これは単に便宜上である。本発明の原理にしたがって、図面の任意の特徴が、任意の他の図面の任意の特徴と組み合わせて参照および／または主張され得る。
【００３７】
本明細書は、最良の形態を含み、本発明を開示するために、また、任意のデバイスまたはシステムの作成および使用と任意の組み込まれた方法の実行とを含めて、本発明を当業者が実行できるようにするために、例を使用する。本発明の特許性のある範囲は、特許請求の範囲によって定義され、当業者が気付く他の例を含み得る。そのような他の例は、それらが本特許請求の範囲の文言と異ならない構造的要素を有する場合に、または、それらが本特許請求の範囲の文言と実質的に異ならない均等な構造的要素を含む場合に、本特許請求の範囲内にあるものとする。
【符号の説明】
【００３８】
１００  電力システム
１０２  機械
１０４  構成要素
１０８  負荷
１１０  センサ
１１２  コンピュータデバイス
１１４  ルート
２０４  ユーザインターフェース
２０５  キーボード
２０６  ポインティングデバイス
２０７  マウス
２０８  提示インターフェース
２０９  表示アダプタ
２１０  表示デバイス
２１４  プロセッサ
２１８  メモリデバイス
２２０  システムバス
２３０  通信インターフェース
３００  出力
３１０  測定
３２０  周波数
３３０  周波数帯域
３３２  第１の周波数帯域
３３４  第２の周波数帯域
３３６  第３の周波数帯域
３３８  第４の周波数帯域
３５０  期待振動レベル応答曲線
３６０  実際の振動レベル応答曲線
４００  コンピュータデバイスを使用して、故障を識別するためのデータを提示するための方法
４０２  少なくとも１つの故障を表すデータが受信される
４０４  データが編成される
４０６  データのグラフ表示が生成される
４０８  グラフ表示がユーザに提示される
４１０  ユーザは少なくとも１つのデータ点を選択可能になる
４１２  変数が計算される
４１４  変数がユーザに提示される
【図１】
2013033477.tif 000003
【図２】
2013033477.tif 000004
【図３】
2013033477.tif 000005
【図４】
2013033477.tif 000006
【外国語明細書】
2013033477000001.pdf